(57)【要約】【課題】  動画や音声など時間軸を伴うデータの編集再生システムにおいて、全体の長さを意味するバーとそのバー上で現在の再生位置を示すカーソルからなるＧＵＩで、従来は全体のデータの長さが長くなるとカーソルの移動速度が遅くなり、使い勝手が悪かった。操作性の良いＧＵＩを提供する。【解決手段】  時間軸を表すバーを２本（バーＡ、バーＢ）とし、バーＡは従来どおり全体を表すバーであり、バーＡを一定時間ごとに区切り、バーＢがその各期間を表し、バーＢ上の現在再生中の位置を示すカーソルが常に等速で移動する。【選択図】        図１
2006164033.tif 000002
【特許請求の範囲】
【請求項１】
動画または音声データなど時間軸を伴うデータの再生を伴う編集システムにおいて、
再生の時間の経過を示すバーと前記バー上に再生位置を示すカーソルを持ち、カーソルの位置により全体の中で再生位置を示すと共に、カーソルを移動させることで、再生位置を変更することができる編集システムにおいて、
バーを２本持ち、一方のバーはデータ全体位置を示し、もう一方がデータの一部を示すことを特徴とする編集システム。
【請求項２】
請求項１に記載の編集システムにおいて、
１つのバーが、データ全体をあらわし、もうひとつのバーの長さがデータの全体長にかかわらず、ユーザが自由に定義できる一定の時間を表すことを特徴とする編集システム。
【請求項３】
請求項２に記載の編集システムにおいて、
データ全体をあらわすバー上に、下段バーが示す一部分毎に区切り線で示されていることを特徴とする編集システム。
【発明の詳細な説明】
【技術分野】
【０００１】
本発明は、動画や音声など時間軸を伴うデータの再生・編集システムにおいて、再生位置を示すバーとカーソルによって現在の再生位置を示すＧＵＩと持つ再生・編集システムに関する。
【背景技術】
【０００２】
近年、パーソナルコンピュータの技術が発達し、手軽に動画や音声を再生して楽しむまたは、編集を行うことができるようになってきた。音声や動画等時間軸を伴うデータを扱う場合、全体の長さを示すバーと、そのバー上に現在の再生位置を示すカーソルを配置し、再生状況に応じて、バー上をカーソルを移動させて表現するのが一般的である。
【０００３】
また、このカーソルをマウスなどでドラッグさせることにより、現在の再生位置を変更するのが一般的になっている（例えば、特許文献１参照）。
【特許文献１】特開平１０−１３７７３号公報
【発明の開示】
【発明が解決しようとする課題】
【０００４】
しかしながら、近年のコンピュータの発達により、長時間に及ぶデータを編集が可能になってきている。編集するデータが長時間になると、編集するデータの長さが長くなっても全体をあらわすバーの長さは変わらないため、現在の再生位置を示すカーソルの移動速度は相対的に遅くならざるを得ない。
【０００５】
動画や音声を編集する際、バー上のカーソルを移動し、再生ポイントをドラッグにより移動する際、全体の長さが長いと、少しドラッグしただけで、大きく時間軸を変化させてしまう。そのため、時間軸上の中から任意のシーンを選び出すのが、大変手間である。
【０００６】
本発明は、以上の点に着目して成されたもので、広いレンジでの再生位置の移動と共に、細かく指定することができ、任意の位置からの再生や編集が容易になり、またソフトウェアだけで実現可能で、かかるコストの少なくてすむ編集システムを提供することを目的とする。
【課題を解決するための手段】
【０００７】
本発明は、上述の課題を解決することを目的としてなされたもので、請求項１および請求項２の発明によれば、従来の全体を表すバーに加えて、全体の一定区間を表すバーを新たに付け加え、２つのバーにより構成することにより、全体の移動をスムーズに行うのに加え、細かい指定を行うことが可能になる。
【０００８】
１つ目のバーを一定時間ごとに区切り、その区切り毎に、もう１つのバーのそれぞれを表す。
【０００９】
再生中の１つ目のバー上のカーソルの移動速度は全体の長さによって異なるが、２つ目のバー上の移動速度は常に一定になる。
【００１０】
なお、さらに詳細に説明すれば、本発明は下記の構成によって前記課題を解決できた。
【００１１】
（１）動画または音声データなど時間軸を伴うデータの再生を伴う編集システムにおいて、再生の時間の経過を示すバーと前記バー上に再生位置を示すカーソルを持ち、カーソルの位置により全体の中で再生位置を示すと共に、カーソルを移動させることで、再生位置を変更することができる編集システムにおいて、バーを２本持ち、一方のバーはデータ全体位置を示し、もう一方がデータの一部を示すことを特徴とする編集システム。
【発明の効果】
【００１２】
簡素なＧＵＩの追加により、広いレンジでの再生位置の移動と共に、細かく指定することができ、任意の位置からの再生や編集が非常に容易になる。ソフトウェアだけで実現可能で、かかるコストの少なくてすむ。
【発明を実施するための最良の形態】
【００１３】
以下本発明を実施するための最良の形態を、実施例により詳しく説明する。
【実施例１】
【００１４】
実施例１の請求項１および２における発明の編集システムの実施例１の構成を図面を参照して説明する。
【００１５】
図１は、実施例１の主な機能を説明するための構成図である。１００ＣＰＵには、本発明による再生編集システムを操作する為の、１０１タッチパネルと１０２液晶ディスプレイが接続されている。本発明を実施する為のプログラムは、１０３ＲＡＭ／ＲＯＭに収められているが、その他の場所でもかまわない。
【００１６】
図２は、本発明の実施例１の形態の画面表示である。２００液晶ディスプレイには、図２に示すように、２０１動画表示ウィンドウを持ち、下部に、２０７再生ボタン、２０６停止ボタンを備えている。
【００１７】
また、２０２全体バーと２０３等速度バーの２つのバーを持っている。２０２全体バーは、全長が動画像データの全体の長さを示しており、左端が始点、右端が終点を意味する。起動直後は、２０３全体バーカーソルは、左端にあり、２０７再生ボタンをクリックすることで再生を開始する。再生が進むと共に２０４全体バーカーソルは２０２全体バーに上を右端に進み、全データ終了と共に右端に到達する。再生中、２０４逆転再生ボタンをすることにより逆転再生および２０８早送りボタンをすることにより早送り、２０５一時停止ボタンによりデータ再生を停止することができる。
【００１８】
２０２全体バーは一定時間間隔ごとに区切られている。間隔は本実施例では５秒間であるが、設定により変更することができる。２０２全体バーの区切り毎に２０３等速度バーに２１０等速度カーソルが移動する。２０２全体バーの一区間にカーソルが入ると、２０３等速度バー上の左端から右端にかけて、２１０等速度バーカーソルが移動する。等速度バーは、全体バーを問う速度で区切った１区間を意味するので、２０３等速度バーを移動する２１０等速度カーソルの移動速度は、データ長にかかわらず一定である。２０９全体バーカーソルが各区間の区切りの右端部分にくると、等速度バーの当速度バーカーソルは、右端に移動し、２０９全体バーカーソルが次の区間に入ると、２１０等速度バーカーソルは左端に移動する。
【００１９】
２０９全体バーカーソルおよび２１０等速バーカーソルをペンでドラッグし、動画像の再生ポイントを移動させることもできる。カーソルを左に動かせば逆戻り再生が行われ、右に動かすと早送りとなる。２０２全体バー上の２０９カーソルは、動かす速度と早送りまたは巻き戻しの速度との関係が、全体の再生されるデータの長さによって異なり、全体の長さが長いほど、少し動かすだけで大きくデータ位置をジャンプする。２０３の当速度バーの２１０カーソルは、データ全体の長さにかかわらず、動かす速度と早送りまたは巻き戻しの速度との関係は常に一定である。
【００２０】
ここでは、ペンとタッチパネルを使用した例を示しているが、ディスプレイ上のカーソルをマウスで操作しても良い。
【００２１】
２０９全体バーカーソルを操作することにより、大きく再生位置を変化させることができる。また、２１０当速度バーカーソルを操作することにより、データの全体の長さにかかわらず、常に同じ移動量で再生位置を同じ分だけ移動させることができる。
【００２２】
本実施例のプログラムを図３および図４のフローチャートを用いて説明する。
【００２３】
Ｓ３０１にて動画データファイルをオープンする。Ｓ３０１にて液晶ディスプレイ上に全体バーと等速度バーの２つのバーを表示する。Ｓ３０３にて動画データの長さを取得し、Ｓ３０４にて設定された秒数毎に全体バーに区切りを表示する。この区切りの一単位が等速度バー１つ分を表す。Ｓ３０５にて全体バーのカーソルを左端に表示し、Ｓ３０６にて等速度バーの左端にカーソルを表示する。これで、画面の表示の初期化が終了する。
【００２４】
次に、Ｓ４０１にてタッチパネルの入力待ちになる。Ｓ４０２にてペンダウンが来るまでＳ４０１を繰り返す。ペンダウンされると、Ｓ４０３にてペンダウンされた位置を記憶する。Ｓ４０４にてペンアップを感知すると、Ｓ４０５にてペンダウンした位置を取り出す。
【００２５】
ペンダウンした位置が停止ボタン上であれば、Ｓ４０６にてデータの再生を停止する。ペンダウンした位置が再生ボタン上であればＳ４０７にてデータの再生を行う。
【００２６】
ペンダウンした位置が全体バー上であれば、Ｓ４０８にて再生中であればＳ４０９にて再生を停止し、Ｓ４１０にて全体バーのペンアップした位置にカーソルを移動し、Ｓ４１１にて等速度バーのカーソルを移動する。
【００２７】
ペンダウンした位置が等速度バー上であれば、Ｓ４１２にて再生中であればＳ４１３にて再生を停止し、Ｓ４１４にて等速度バーペンアップした位置にカーソルを移動し、Ｓ４１５にて全体バーのカーソルを移動する。
【実施例２】
【００２８】
実施例１では、動画再生データへの実施例を示したが、実施例２では、音声データのみの再生に適用した例である。
【００２９】
実施例２のブロック構成図は実施例１と同じ図１である。音声のみを扱う実施例２では、実施例１とまったく同様に操作することができる。
【図面の簡単な説明】
【００３０】
【図１】実施例１のブロック図である。
【図２】実施例１の画面表示を示す図である。
【図３】実施例１のフローチャートである。
【図４】実施例１のフローチャートの続きである。
【符号の説明】
【００３１】
１００  ＣＰＵ
１０１  タッチパネル
１０２  液晶ディスプレイ
１０３  ＲＡＭ／ＲＯＭ
１０４  メモリカードアダプタ
１０５  メモリカード
２００  液晶ディスプレイ
２０１  動画表示ウィンドウ
２０２  全体バー
２０３  等速度バー
２０４  全体バーカーソル
２０５  等速度バー
２０６  停止
２０７  再生
【図１】
2006164033.tif 000003
【図２】
2006164033.tif 000004
【図３】
2006164033.tif 000005
【図４】
2006164033.tif 000006